(57)【特許請求の範囲】
【請求項１】
使用者の靴（６）を支え、雪に接するための内側の平面を含み、その内側の平面としての網目状の平面（４）を区切る壁面（３）を、前記網目状の平面の周囲に少なくとも１面有し、前記壁面の下部の縁（３０）が第１接触面（Ｐ１）となっている本体（２）を含み、前記網目状の平面（４）の中央部（４０）に、少なくとも１面の内側接触面（２１，２２，２３，２４，２１′，２２′，２３′，２４′）が設けられており、この内側接触面の下部の縁（２１０，２２０，２３０，２４０，２１０′，２２０′，２３０′，２４０′）が、前記第１接触面（Ｐ１）の下へ突出しており、前記網目状の平面の下部表面（９）が、前記第１接触面（Ｐ１）の上方に、それよりも引っ込んだ形で第２の平面（Ｐ２）を形成していることを特徴とする、かんじき。
【請求項２】
前記内側接触面（２１，２２）が、靴を置く場所の中で横向きに配置されていることを特徴とする、請求項１に記載のかんじき。
【請求項３】
前記内側接触面（２１，２１０）が前方側壁面になっており、靴の中足骨付近の下に配置されていることを特徴とする、請求項２に記載のかんじき。
【請求項４】
前記内側接触面を２面（２３−２４，２３′−２４′）含み、それらの２面が当該かんじきの対称平面（Ｐ）の端から端まで縦に延びていることを特徴とする、請求項１に記載のかんじき。
【請求項５】
前記内側接触面の２面（２３−２４，２３′−２４′）がほぼ平行に形成されていることを特徴とする、請求項４に記載のかんじき。
【請求項６】
前記内側接触面の２面（２３′−２４′）が前方（ＡＶ）で交わっていることを特徴とする、請求項４に記載のかんじき。
【請求項７】
前記内側接触面の２面（２３−２４）が後方（ＡＲ）で交わっていることを特徴とする、請求項４に記載のかんじき。
【請求項８】
前記網目状の平面（４）の中央部分に４面（２１，２２，２３，２４）の接触壁面からなる第２枠組を含み、その下部の縁（２１０，２２０，２３０，２４０）が、第１接触面（Ｐ１）より下に突出しており、前記第１接触面（Ｐ１）より下に位置する第３の平面（Ｐ３）を形成していることを特徴とする、請求項１ないし７のいずれかに記載のかんじき。
【請求項９】
前記周囲の壁面（３）の高さ（Ｈ１）が前記内側接触面（２１，２２，２３，２４，２１′，２２′，２３′，２４′）の少なくとも１つまたはそれ以上の複数の壁面の高さ（Ｈ２）よりも低いということを特徴とする、請求項８に記載のかんじき
。
【請求項１０】
前記網目状の平面の壁面の高さ（ｈ）が本体の周囲の壁面の高さ（Ｈ１）よりも低いことを特徴とする、請求項９に記載のかんじき。
【発明の詳細な説明】
【０００１】
【産業上の利用分野】
この発明は、かんじきに関し、特に雪との接触面と、その接触作用を改善するための改良されたかんじきに関するものである。
【０００２】
【従来の技術および発明が解決しようとする課題】
かんじきは、数百年も前からスカンジナビアの人達が雪の上を移動するために用いられており、大昔から知られている道具である。そして、現在に至るまで、かんじきは、人々やアルプス軍団の兵士が日常的に移動が必要なときに、雪の中を歩行するために実用的または軍事的目的のために利用されてきた。
【０００３】
しかしながら、現在では、かんじきは、遠出や散歩、あるいは競争など、むしろスポーツを楽しむ人達の間で使われている。ところが、スポーツを楽しむ人達は娯楽としてこの道具を使用しているのであるが、使用されている材料の材質についての要求がますますエスカレートしてきている。実際に、現在、販売されている製品では、彼らの完全な満足を得ることができなくなったというのが現状である。特に斜面での横歩きの場合と、圧し潰されて固くなった雪あるいは凍った雪の上を移動する場合において彼らの満足を得ることができなくなっている。
【０００４】
そこで、この発明の目的は、雪との接触面と、その接触作用を改善するために改良されたかんじきを提供することである。
【０００５】
【発明の概要】
本発明に従ったかんじきは、使用者の靴を支え、雪に接触する内側の平面を含み、その内側の平面、すなわちメッシュ（網目状）の平面を取囲む壁面を、少なくとも１面有し、そのかんじきの周囲の壁面の下部の縁が第１接触面となっている本体を含む。そのようなかんじきにおいて、メッシュ平面の中央部分に、少なくとも１つの内側接触壁面が設けられており、その壁面の下部の縁が上記の第１接触面よりも下に突出し、網目状の平面の下部表面が、第１接触面の上方に、それよりも引っ込んだ形で第２の平面を形成しているという特徴が備えられている。
【０００６】
第１の配置によれば、内側の接触壁面は、靴を置く部分の横に配置されている。他方、別の配置によれば、この接触壁面は縦に配置されている。
【０００７】
いくつかの実施例はあるが、そのうちの１つによるかんじきには、横に２個の内側の接触壁面が取付けられる。それらの接触壁面は平行に形成されたり、交わるように形成されたり、特に前方に向かって交わるように形成される。
【０００８】
他方、有利な方法としては、メッシュ平面の下部表面を、第１接触面（第１平面）よりも上方に引っ込んだ形で配置された第２平面として利用する方法がある。
【０００９】
本発明の望ましい実施例によれば、メッシュ平面の中央部分に４面の接触壁面からなる第２本体を設ける。その第２本体の下部の縁を第１平面よりも下に突出させ、第１平面の下に第３平面を形成すればよい。その場合、さらに、周囲の壁面の高さは、内側の接触壁面の１つ、またはそれ以上の壁面の高さよりも低くしておき、他方、メッシュ平面の高さは本体の周囲の壁面の高さよりも低くする。
【００１０】
本発明には、これら以外にいくつかの特徴と長所が存在するが、それらは添付したいくつかの図面についての以下の説明の中で明らかになるであろう。ただし、これらの図面は例として示しているのであり、これらに限定されるものではない。
【００１１】
【実施例】
図面を参照して、本発明の実施例について説明する。
【００１２】
一般的なかんじき１の形は、ほぼ対称的であり、網目のような隙間の開いた面Ｐから形成され、これが本体２となり、この上に靴を載せる。本体の周囲の壁面３は縁になり、その内側がメッシュ（網目状）の平面４になっていて、その内側には使用者の靴６を固定するための支持体＝固定具５が設けられている。上記の本体は概略的に細長く、後部が尻尾７のように細くなり、他方、前方は上に反っていって、その形状はかなり尖った鉾８の形になっている。
【００１３】
上記のメッシュ平面４と内側の平面全体とが、雪と接触する下部表面９を形成している。そのために、かんじきを履いた人は雪に足を取られない状態で歩くことができる。これは、その表面積が大きくなるためである。実施例によれば、靴６を固定するための固定具５が、かんじき本体のメッシュ平面４に対して横軸ＸＸ′の方向に可動可能に、すなわち可動式に固定されているのがわかる。使用しやすいように、一般的な意味でのこの固定具５は、靴の固定装置、つまり前方固定装置１１と後方固定装置１２が組合せられた可動式プレート１０からなっている。このようにして、靴の前方６０は前留金１１０によって固定でき、他方、靴の後部６１は留金用レバー１２１付きのピボット式後留金１２０によって固定することができる。プレート１０は適当に硬く、縦長で、靴底をささえるための上部支持面１３を有する。ここで、できれば、側面に一連の固定穴１５を設けることによって、後留金１２０の位置を調節することが可能であることも理解される。他面、後留金のタイビーム（抗張材）の上に２つの穴１６ａ，１６ｂを設けることによって、靴の長さに完全に合わせるような微調節も可能になる。
【００１４】
本体の周囲の壁面３は垂直に延びており、その下部の縁３０が第１面Ｐ１となる。メッシュ平面４の下部の支持表面９は、上記の第１面Ｐ１よりも引っ込んでいる。つまり、下部支持表面９によって形成される平面Ｐ３は、第１面Ｐ１よりも“ａ”の値だけ上に位置していることになる。本発明によると、少なくともメッシュ平面の内側の壁面の１つは垂直になっていて、その下部の縁が第１面Ｐ１よりも下に突出している。図１から図８に図解された実施例によれば、これら複数の突出した壁面全体は、メッシュ平面上の靴を載せる中央部４０に配置されている。したがって、足の下にくるこの中央部分には、前方の壁面２１、後方の壁面２２、それに対して両側の壁面２３，２４からなる第２枠組２０が形成されることになる。ここで注目されることは、メッシュ平面の残りの部分を形成している内側の壁面の高さｈが、一部では、上記の第２枠組２０の壁面の高さＨ２よりも低く、他方、本体２の壁面の高さＨ１よりも低くなっている点である。このようにして、メッシュ平面の下部表面９の総平面Ｐ３の一部分は、平面Ｐ１よりも、また平面Ｐ２よりも引っ込んだ位置にある。
【００１５】
そして、自明のことであるが、図９（ａ）（ｂ），図１０（ａ）（ｂ），図１１（ａ）（ｂ）に示された変形例のように、異なった配置にすることも可能である。
【００１６】
図９の（ａ）と（ｂ）とは、第１の変形例を図解している。これによれば、メッシュ平面４には前留具の壁面２１′しか設けられていない。この壁面が横に靴の中足骨の辺りまで延び、その下部の縁２１０′が平面Ｐ１から突出している。
【００１７】
図１０の（ａ）と（ｂ）とは、第２の変形例を示している。メッシュ平面の中央部に縦に２本の留具用壁面２３′，２４′が設けられている。これらの壁面は、ほぼ平行に縦に延び、それぞれの下部の縁２３０′，２４０′が平面Ｐ１より突出している。
【００１８】
図１１の（ａ）と（ｂ）とは、第３の変形例を示している。これによれば、留具用の縦の壁面２３′，２４′が靴を載せる部分の下に設けられており、これらの壁面が前方ＡＶで交わっている。
【００１９】
本体の内側２０では、２本の壁面２３０ａ，２４０ａが縦に配置されているが、どのような形で設けられてもよい。実際、内側の壁面はなくてもよく、設けられるとしても、横向きでもよければ、あるいは全く別の形状であってもよい。
【００２０】
自明のことながら、釘（スパイク）５０を突出した縁２１０，２２０，２３０，２４０，２１０′，２２０′，２３０′，２４０′に取付けても、本発明の範囲を逸脱するものではない。また、図１２と図１３に図解したように、４本のスパイク５０ａ，５０ｂ，５０ｃ，５０ｄを付け加えることもできる。
【００２１】
もちろん、本発明は上述の例として述べた実施例に限定されるものではなく、これらと同等の技術とそれらの組合せのすべてを含む。
【図面の簡単な説明】
【図１】この発明の第１実施例に従ったかんじきを上から見た図であり、固定具は描かれているが、靴は示されていない。
【図２】この発明の第１実施例に従ったかんじきを横から見た図であり、靴は細い長短の点線で示されている。
【図３】この発明の第１実施例に従ったかんじきを下から見た図である。
【図４】図３のＩＶ−ＩＶ線に沿って切断した縦断面図であり、靴を固定するための固定具は示されていない。
【図５】図３のＶ−Ｖ線に沿って切断した横断面図であり、細部がわかりやすいように、各寸法は図３とは異なっている。
【図６】図３のＶＩ−ＶＩ線に沿った横断面図であり、細部がわかりやすいように、各寸法は図３とは異なっている。
【図７】図３のＶＩＩ−ＶＩＩ線に沿った横断面図であり、細部がわかりやすいように、各寸法は図３とは異なっている。
【図８】図３のＶＩＩＩ−ＶＩＩＩ線に沿った横断面図であり、細部がわかりやすいように、各寸法は図３とは異なっている。
【図９】本発明のかんじきの第１変形例を示す図である。
【図１０】本発明のかんじきの第２変形例を示す図である。
【図１１】本発明のかんじきの第３変形例を示す図である。
【図１２】図３に対応し、本発明の別の実施例を示す図である。
【図１３】図４に対応し、本発明の別の実施例を示す図である。
【符号の説明】
１  かんじき
２  本体
３  周囲の壁面
４  メッシュ（網目状）平面
２１，２２，２３，２４  壁面
３０  下部の縁
４０  中央部
２１０，２２０，２３０，２４０  下部の縁
Ｐ１  第１面または第１接触面
【図１】
0003651922.tif 000002
【図２】
0003651922.tif 000003
【図３】
0003651922.tif 000004
【図４】
0003651922.tif 000005
【図５】
0003651922.tif 000006
【図６】
0003651922.tif 000007
【図７】
0003651922.tif 000008
【図８】
0003651922.tif 000009
【図９】
0003651922.tif 000010
【図１０】
0003651922.tif 000011
【図１１】
0003651922.tif 000012
【図１２】
0003651922.tif 000013
【図１３】
0003651922.tif 000014